(57)【要約】【課題】  新規の統一フォーマット化情報コンテンツ提供システムおよび情報コンテンツ発信システムを提供する。【解決手段】  インターネットを介してユーザ端末に既定のフォーマットで情報コンテンツとして発信する情報コンテンツ発信サイト１００と情報提供元４００との間に介在し、統一フォーマット化された情報コンテンツを提供する情報コンテンツ提供システム２００は統一フォーマット化コンテンツを情報発信サイト側に提供する情報発信サイト管理装置２０１と、直接あるいは代理店サーバ３００を介して各情報コンテンツ提供元４００の情報コンテンツをフォーマット化する複数のエージェント端末ＴＡと、エージェント管理装置２０２と、各エージェント端末への報酬を算出する収益分配装置２０４と、を備えている。【選択図】図２
2018063682.tif 000002
【特許請求の範囲】
【請求項１】
情報提供元からの文字、画像、音声またはこれらの組み合わせてなる複数の情報コンテンツを、インターネットを介してユーザ端末に既定のフォーマットで発信する情報コンテンツ発信サイトと前記情報提供元との間に介在し、前記各情報提供元からの各情報コンテンツを、前記情報コンテンツ発信サイトに既定フォーマットとして提供する統一フォーマット化された情報コンテンツを提供する統一フォーマット化情報コンテンツ提供システムであって、前記統一フォーマット化情報コンテンツ提供システムは、前記情報発信サイト側の要求する統一フォーマット化コンテンツを管理し、前記情報発信サイト側の要求に応じた統一フォーマット化コンテンツを前記情報発信サイト側に提供する情報発信サイト管理装置と、前記情報発信サイト管理装置と直接あるいは代理店サーバを介して各情報コンテンツ提供元の情報コンテンツを前記情報発信サイト側の要求に応じてフォーマット化して収集する複数のエージェント端末と、前記エージェント端末を登録・管理するエージェント管理装置と、前記各エージェント端末により提供されたフォーマット化された情報コンテンツに応じて前記各エージェント端末への報酬を算出する収益分配装置と、を備えたことを特徴とする統一フォーマット化情報コンテンツ提供システム。
【請求項２】
前記収益分配装置は、前記情報発信元または情報提供元からの収益に基づいて、当該収集したエージェント端末に配分する金額を、そして所望により各代理店に配分する金額を算出することを特徴とする請求項１に記載のフォーマット化コンテンツ提供システム。
【請求項３】
前記統一フォーマット化情報コンテンツ提供システムは、所定のカテゴリーおよび／または地域毎に複数の代理店サーバを有しており、前記代理店サーバは、当該カテゴリーに応じた情報コンテンツを各々エージェント端末から収集し、収集した情報コンテンツを集約して前記統一フォーマット化情報コンテンツ提供システムに提供することを特徴とする請求項１または請求項２に記載のフォーマット化コンテンツ提供システム。
【請求項４】
前記フォーマット化された情報コンテンツは、広告コンテンツであることを特徴とする請求項１から請求項３のいずれか１項に記載のフォーマット化コンテンツ提供システム。
【請求項５】
前記情報発信システムは、ユーザ端末からの要求に応じて情報検索を行い、検索結果をフォーマット化された情報コンテンツとして端末に発信する情報コンテンツ検索機能を備えたことを特徴とする請求項１から請求項４のいずれか１項に記載のフォーマット化コンテンツ提供システム。
【請求項６】
前記情報発信システムは、ユーザ端末からの要求に応じてキーワード検索を行い、検索結果をキーワードにより検索した際に取得したいと想定される予め設定した複数の要約情報から成るダイジェスト情報として表示するダイジェスト検索システムであって、前記ユーザ端末に情報検索を含むポータルＷＥＢページ、検索画面、検索結果、検索結果に関連する情報を提供するＷＥＢページを生成し、生成したＷＥＢページをユーザ端末に送信するＷＥＢページ生成部と、前記ユーザ端末からの検索要求に対して情報検索を行う情報検索部と、キーワードにより検索した際に取得したいと想定される予め設定した複数の要約情報から成るダイジェスト情報を生成するダイジェスト情報生成部を備え、前記ダイジェスト情報生成部からのダイジェスト情報に基づいて、前記ＷＥＢ生成部は、検索結果として検索結果の詳細情報と関連付けされたダイジェスト情報を表示するＷＥＢページを生成してユーザ端末に送信することを特徴とするダイジェスト検索システムであることを特徴とする請求項４に記載のフォーマット化コンテンツ提供システム。
【請求項７】
前記フォーマット化された情報コンテンツは、キーワードにより検索した際に取得したいと想定される予め設定した複数の要約情報を含む広告コンテンツまたは広告コンテンツおよび非広告コンテンツであり、前記ダイジェスト情報生成部は前記広告コンテンツに基づいてダイジェスト情報を生成することを特徴とする請求項６に記載のフォーマット化コンテンツ提供システム。
【請求項８】
情報提供元からの文字、画像、音声またはこれらの組み合わせてなる複数の情報コンテンツを、インターネットを介して既定のフォーマットで情報コンテンツとして発信する情報コンテンツ発信システムであって、前記情報提供元側と情報発信サイト側との間に介在し、各情報提供元からの各情報コンテンツを、前記情報コンテンツ発信サイトに既定フォーマットとして提供する統一フォーマット化された情報コンテンツを提供する統一フォーマット化情報コンテンツ提供システムを備え、前記情報発信サイト側の要求する統一フォーマット化コンテンツを管理し、前記情報発信サイト側の要求に応じた統一フォーマット化コンテンツを前記情報発信サイト側に提供する情報発信サイト管理装置と、前記情報発信サイト管理装置と直接あるいは代理店サーバを介して各情報コンテンツ提供元の情報コンテンツを前記情報発信サイト側の要求に応じてフォーマット化して収集する複数のエージェント端末と、を備え、そして前記情報コンテンツ発信システムまたは前記統一フォーマット化情報コンテンツ提供システムの少なくとも一方は、前記エージェント端末を登録・管理するエージェント管理装置と、前記各エージェント端末により提供されたフォーマット化された情報コンテンツに応じて前記各エージェント端末への報酬を算出する収益分配装置と、を備えたことを特徴とする情報コンテンツ発信システム。
【請求項９】
前記収益分配装置は、前記情報発信元または情報提供元からの収益に基づいて、当該収集したエージェント端末に配分する金額を、そして所望により各代理店に配分する金額を算出することを特徴とする請求項８に記載の情報コンテンツ発信システム。
【請求項１０】
前記統一フォーマット化情報コンテンツ提供システムは、所定のカテゴリーおよび／または地域毎に複数の代理店サーバを有しており、前記代理店サーバは、当該カテゴリーに応じた情報コンテンツを各々エージェント端末から収集し、収集した情報コンテンツを集約して前記統一フォーマット化情報コンテンツ提供システムに提供することを特徴とする請求項８または請求項９に記載の情報コンテンツ発信システム。
【請求項１１】
前記フォーマット化された情報コンテンツは、広告コンテンツであることを特徴とする請求項８から請求項１０のいずれか１項に記載の情報コンテンツ発信システム。
【請求項１２】
情報コンテンツ発信システムは、ユーザ端末からの要求に応じて情報検索を行い、検索結果をフォーマット化された情報コンテンツとして端末に発信する情報コンテンツ検索機能を備えたことを特徴とする請求項８から請求項１１のいずれか１項に記載の情報コンテンツ発信システム。
【請求項１３】
前記情報発信システムは、ユーザ端末からの要求に応じてキーワード検索を行い、検索結果をキーワードにより検索した際に取得したいと想定される予め設定した複数の要約情報から成るダイジェスト情報として表示するダイジェスト検索システムであって、前記ユーザ端末に情報検索を含むポータルＷＥＢページ、検索画面、検索結果、検索結果に関連する情報を提供するＷＥＢページを生成し、生成したＷＥＢページをユーザ端末に送信するＷＥＢページ生成部と、前記ユーザ端末からの検索要求に対して情報検索を行う情報検索部と、キーワードにより検索した際に取得したいと想定される予め設定した複数の要約情報から成るダイジェスト情報を生成するダイジェスト情報生成部を備え、前記ダイジェスト情報生成部からのダイジェスト情報に基づいて、前記ＷＥＢ生成部は、検索結果として検索結果の詳細情報と関連付けされたダイジェスト情報を表示するＷＥＢページを生成してユーザ端末に送信することを特徴とするダイジェスト検索システムであることを特徴とする請求項１２に記載の情報コンテンツ発信システム。
【請求項１４】
前記フォーマット化された情報コンテンツは、キーワードにより検索した際に取得したいと想定される予め設定した複数の要約情報を含む広告コンテンツまたは広告コンテンツおよび非広告コンテンツであり、前記ダイジェスト情報生成部は前記広告コンテンツに基づいてダイジェスト情報を生成することを特徴とする請求項１３に記載の情報コンテンツ発信システム。
【発明の詳細な説明】
【技術分野】
【０００１】  本発明は、統一フォーマット化情報コンテンツ提供システムおよび情報コンテンツ発信システムに関する。より詳しく述べると、インターネットを介して情報検索を行う情報検索サイト等に統一のフォーマットを提供するための統一フォーマット化情報コンテンツ提供システムおよびこれを用いた情報コンテンツ発信システムに関する。
【背景技術】
【０００２】  従来より、様々な情報（サービス、無対物を含む）についてインターネットを利用した情報検索サイトが増加してきている。具体的には、「Ｇｏｏｇｌｅ」（登録商標：以下、検索サイト１という）のような総合検索サイトの他に、「価格．ｃｏｍ」（登録商標：以下、検索サイト２という）や「ぐるなび」（登録商標：以下、検索サイト３という）、「一休．ｃｏｍ」（登録商標：以下、検索サイト４という）、「ＨＯＭＥ’Ｓ」（登録商標：以下、検索サイト５という）などのような特定のジャンルに限定した目的の検索サイトなどがある。【０００３】  検索サイト１の発表によると地域情報を調べる手段としてはオンラインを活用する割合が約９０％（オンラインのみの活用は４７％）となっている。インターネット上で情報検索を行う場合、一般的には総合検索サイトを経て目的検索サイト等に行き、そこで目的の情報（Ｗｅｂサイト、地図、クーポン、評判などの情報）を取得する。【０００４】  検索サイト１の発表によるとインターネット利用による情報検索の三大動機は「１．何かを知りたい」、「２．どこかへ行きたい」、「３．何かを買いたい」である。【０００５】  また、検索されている情報の上位１２項目は、上から「１．価格（約４０％）」、「２．営業時間（約３８％）」、「３．企業へのアクセス方法（約３３％）」、「４．プロモーション・特価・クーポン・店舗のセールなど（約２８％）」、「５．その場所での商品やサービスの入手のし易さ（約２５％）」、「６．企業の場所＝住所（約２４％）」、「７．レビューやお薦め（約２４％）」、「８．交通情報（約２１％）」、「９．メニュー：食事・娯楽・レジャーのためにのみ表示（約１９％）」、「１０．画像（約１４％）」、「１１．連絡先情報（約１２％）」、「１２．支払い方法（約１０％）」となっている。【０００６】  総合検索サイトでは基本的に画像を除き前記１２項目の殆どの情報を取得することができない。そこで、検索サイトの検索サイト１ではで前記情報の一部（「営業時間」、「企業へのアクセス方法」「企業の場所≒住所」「レビューやお薦め」など）の取得が案件によっては可能となっている（非特許文献１）。しかし、検索者にとって最も関心の高い「価格」情報などを取得することはできない。【０００７】  一方、目的検索サイトではインターネット検索で最も検索頻度の高い「価格」や「営業時間」、「企業へのアクセス方法」など前記１２項目の情報の多くを取得することが可能であるが、検索できる情報の対象が特定の一ジャンルに絞られる上に、多くの場合、検索先情報が検索サイト運営母体との契約先企業に限定されるなど、利益誘導型の情報提供となっている。【０００８】  利益誘導型の情報提供への対応として目的一括検索サイトが登場している。しかし、前段の問題（情報の対象が特定の一ジャンルに絞られて提供）への対応は未だ不十分である。【０００９】  例えば、ある人がインターネット上で観光地の情報を検索した場合、検索者の多くはアクセスのための交通情報と同時に周辺の宿泊施設、ショッピング、食事処、その地の天気、等の関連情報を欲する。しかし、現状ではそのために複数のサイトへのアクセスが必要となる。【００１０】  以上のことから、多くのインターネット上での検索者は総合検索サイトと複数のＷｅｂサイト（目的検索サイトを含む）間を行きつ戻りつしたり、或いは目的の情報取得のためにネットサーフィン（複数のサイトを連続してアクセスし続けること）を行い、その結果、長時間を消費することになる。【００１１】  インターネット上での情報検索では論文や百科事典を調べる様にある事象に対し深く大量の情報を収集することも可能だが、実際には、名称や住所・電話番号・電子メールアドレスなどの連絡先情報、価格・料金、営業時間、アクセス方法など表層的な情報取得で事足りる場合も多い。しかし、現状ではこのような表層的な情報取得ですらわざわざ目的のＷｅｂサイトにアクセスしなければ取得は難しい。【００１２】  そのため、特許文献１には、表示フォーマットが異なる各サイトから情報を収集して、比較しなければならないため、情報検索のために多大な労力が必要とされ、また、仲介業者が各サイトの情報を収集し、表示フォーマットを統一することも可能ではあるが、その場合、各生産者・販売者のサイトの情報更新から、仲介業者のサイトの情報更新までの間のタイムラグなどが問題となりうる等の課題を解決するためにネットワーク上に分散して存在するデータベースから情報を検索する情報検索システムに関し、特にユーザから委託された検索を代行処理するソフトウェア（エージェント）を利用して情報を検索する情報検索システムを開示している。【００１３】  特許文献１によると、ネットワークに接続された複数のデータベースを検索する情報検索システムは、（１−１）前記各データベースのそれぞれに蓄積されている情報の種別を示す情報種別と、（１−２）前記各データベースを検索する条件を示す検索条件と、（１−３）検索結果を表示するフォーマットを示す検索結果表示フォーマットとを記憶する記憶手段と、（２）前記検索条件と前記情報種別とを対比して、前記各データベースの中から前記検索条件を満たす情報が記憶されている可能性が高いデータベースを選択し、このデータベースを検索するエージェントを生成し、このエージェントが検索して得られた検索結果データを管理し、この検索結果データのフォーマットを前記検索結果表示フォーマットに変更するエージェント生成・管理部と、を有している。
【先行技術文献】
【００１４】
【特許文献１】  特開２００１−３４４２４１号公報
【００１５】
【非特許文献１】  ｈｔｔｐｓ：／／ｗｗｗ．ｇｏｏｇｌｅ．ｃｏｍ／ｉｎｔｌ／ｊａ＿ＪＰ／ｂｕｓｉｎｅｓｓ／（平成２８年６月２３日検索）
【発明の概要】
【発明が解決しようとする課題】
【００１６】  しかしながら、特許文献１に記載の技術は、フォーマットを統一するためにすべての情報コンテンツが記載されていることが前提となっており、記載情報がない場合には成立しない。【００１７】  また、インターネット上の記載をそのままフォーマットを変えるだけであるので、個人や小規模事業主等による入力ミス等をチェックする機能がない。さらに、例えば通販やオークション等で商品を購入する場合、詐欺サイトや違反製品についてもそのまま反映してしまうのでこのようなチェック機能を有していない。【００１８】  さらに、特許文献１および非特許文献１の技術では、インターネット上に掲載される技術のみが対象であり、広がりが少ない。【００１９】  そのため、本発明の課題は、上記課題を解決し、新規の統一フォーマット化情報コンテンツ提供システムおよび情報コンテンツ発信システムを提供することである。
【課題を解決するための手段】
【００２０】  本発明者等は、上記課題を鑑み鋭意検討した結果、情報提供元からの情報コンテンツを、複数のエージェント端末を介してフォーマット化して情報発信サイトに提供することによって解決できることを見出して本発明を創作するに至った。【００２１】  本発明の第１実施形態に係る発明は、情報提供元からの文字、画像、音声またはこれらの組み合わせてなる複数の情報コンテンツを、インターネットを介してユーザ端末に既定のフォーマットで発信する情報コンテンツ発信サイトと前記情報提供元との間に介在し、
前記各情報提供元からの各情報コンテンツを、前記情報コンテンツ発信サイトに既定フォーマットとして提供する統一フォーマット化された情報コンテンツを提供する統一フォーマット化情報コンテンツ提供システムであって、前記統一フォーマット化情報コンテンツ提供システムは、前記情報発信サイト側の要求する統一フォーマット化コンテンツを管理し、前記情報発信サイト側の要求に応じた統一フォーマット化コンテンツを前記情報発信サイト側に提供する情報発信サイト管理装置と、前記情報発信サイト管理装置と直接あるいは代理店サーバを介して各情報コンテンツ提供元の情報コンテンツを前記情報発信サイト側の要求に応じてフォーマット化して収集する複数のエージェント端末と、前記エージェント端末を登録・管理するエージェント管理装置と、前記各エージェント端末により提供されたフォーマット化された情報コンテンツに応じて前記各エージェント端末への報酬を算出する収益分配装置と、を備えたことを特徴とする統一フォーマット化情報コンテンツ提供システムである。【００２２】  本発明の第２実施形態に係る発明は、情報提供元からの文字、画像、音声またはこれらの組み合わせてなる複数の情報コンテンツを、インターネットを介して既定のフォーマットで情報コンテンツとして発信する情報コンテンツ発信システムであって、前記情報提供元側と情報発信サイト側との間に介在し、各情報提供元からの各情報コンテンツを、前記情報コンテンツ発信サイトに既定フォーマットとして提供する統一フォーマット化された情報コンテンツを提供する統一フォーマット化情報コンテンツ提供システムを備え、前記情報発信サイト側の要求する統一フォーマット化コンテンツを管理し、前記情報発信サイト側の要求に応じた統一フォーマット化コンテンツを前記情報発信サイト側に提供する情報発信サイト管理装置と、前記情報発信サイト管理装置と直接あるいは代理店サーバを介して各情報コンテンツ提供元の情報コンテンツを前記情報発信サイト側の要求に応じてフォーマット化して収集する複数のエージェント端末と、を備え、そして前記情報コンテンツ発信システムまたは前記統一フォーマット化情報コンテンツ提供システムの少なくとも一方は、前記エージェント端末を登録・管理するエージェント管理装置と、前記各エージェント端末により提供されたフォーマット化された情報コンテンツに応じて前記各エージェント端末への報酬を算出する収益分配装置と、を備えたことを特徴とする情報コンテンツ発信システムである。【００２３】  本発明の第１実施形態および第２実施形態に係る発明において、収益分配装置は、前記情報発信元または情報提供元からの収益に基づいて、当該収集したエージェント端末に配分する金額を、そして所望により各代理店に配分する金額を算出することができる。【００２４】  本発明の第１実施形態および第２実施形態に係る発明において、前記統一フォーマット化情報コンテンツ提供システムは、所定のカテゴリーおよび／または地域毎に複数の代理店サーバを有しており、前記代理店サーバは、当該カテゴリーに応じた情報コンテンツを各々エージェント端末から収集し、収集した情報コンテンツを集約して前記統一フォーマット化情報コンテンツ提供システムに提供することができる。【００２５】  本発明の第１実施形態および第２実施形態に係る発明において、前記フォーマット化された情報コンテンツは、広告コンテンツである。【００２６】  本発明の第１実施形態および第２実施形態に係る発明において、情報コンテンツ発信システムは、ユーザ端末からの要求に応じて情報検索を行い、検索結果をフォーマット化された情報コンテンツとして端末に発信する情報コンテンツ検索機能を備えたことができる。【００２７】  本発明の第１実施形態および第２実施形態に係る発明において、前記情報発信システムは、ユーザ端末からの要求に応じてキーワード検索を行い、検索結果をキーワードにより検索した際に取得したいと想定される予め設定した複数の要約情報から成るダイジェスト情報として表示するダイジェスト検索システムであって、前記ユーザ端末に情報検索を含むポータルＷＥＢページ、検索画面、検索結果、検索結果に関連する情報を提供するＷＥＢページを生成し、生成したＷＥＢページをユーザ端末に送信するＷＥＢページ生成部と、
前記ユーザ端末からの検索要求に対して情報検索を行う情報検索部と、キーワードにより検索した際に取得したいと想定される予め設定した複数の要約情報から成るダイジェスト情報を生成するダイジェスト情報生成部を備え、前記ダイジェスト情報生成部からのダイジェスト情報に基づいて、前記ＷＥＢ生成部は、検索結果として検索結果の詳細情報と関連付けされたダイジェスト情報を表示するＷＥＢページを生成してユーザ端末に送信することを特徴とするダイジェスト検索システムであることが好ましい。【００２８】  本発明をダイジェスト検索システムに適用した際、前記フォーマット化された情報コンテンツは、キーワードにより検索した際に取得したいと想定される予め設定した複数の要約情報を含む広告コンテンツまたは広告コンテンツおよび非広告コンテンツであり、前記ダイジェスト情報生成部は前記広告コンテンツに基づいてダイジェスト情報を生成することが好ましい。
【発明の効果】
【００２９】  このようにして構成された本発明は、エージェント端末を介して統一したフォーマットで情報コンテンツを収集するので、情報コンテンツ発信サイトは、自身が要求するフォーマット形式で情報コンテンツを取得できる。また、エージェント端末により情報発信元を発掘可能であるので、今までインターネット上に開示されなかった情報を入手可能となる。また、提供されるフォーマット化された情報コンテンツは、エージェント端末により確認されたものであるので、単に情報発信元からインターネット上にアップロードされた情報コンテンツよりも信頼性の高いものとなる。そのため、情報検索等の一般的利用に加えて、ＢｔｏＢ、ＢｔｏＣ，お見合い等のマッチングサイトや商品のインターネット販売やオークション等に信頼できるサイトとして統一フォーマット化された情報コンテンツを基に構築可能である。
【図面の簡単な説明】
【００３０】
【図１】  本発明の第１実施形態に係るコンテンツ提供システム全体を示す図面である。
【図２】  図１に示すコンテンツ提供システムの要部を示す図面である。
【図３】  本発明の第２の実施形態に係る情報コンテンツ発信システム全体を示す図面である。
【図４】  本発明のコンテンツ提供システムをダイジェスト検索システムに適用した例を示す図面である。
【図５】  図４に示すダイジェスト検索システムで検索した際に表示されるユーザ端末の表示画面の一例を示す図面である。
【図６】  図４に示すエージェント端末からのフォーマット化された情報コンテンツデータの振り分けを示すフローチャートである。
【図７】  本発明のシステムにおける代理店の構成例を示す図面である。
【図８】  図７に示す分配例を示す図面である。
【発明を実施するための形態】
【００３１】  以下、本発明の実施態様を添付図面に基づいて説明する。
（第１実施形態：フォーマット化コンテンツ提供システム）
図１に示す通り、本発明の第１実施形態に係る発明は、情報提供元４００からの文字、画像、音声またはこれらの組み合わせてなる複数の情報コンテンツを、インターネットを介して既定のフォーマットで情報コンテンツとして発信する情報コンテンツ発信サイト１００と情報提供元４００との間に介在し、各情報提供元４００からの各情報コンテンツを、情報コンテンツ発信サイ１００トに既定のフォーマットとして提供する統一フォーマット化された情報コンテンツを提供する統一フォーマット化情報コンテンツ提供システム２００（以下、コンテンツ提供システムという）である。
【００３２】  なお、本発明では、情報発信元から要求された形式でフォーマット化された情報コンテンツを規定のフォーマットと呼び、これらの規定のフォーマットの情報コンテンツ群を統一フォーマットあるいは統一フォーマット化された情報コンテンツという。すなわち、本発明の統一フォーマット化情報コンテンツ提供システムとは、情報発信元から要求された形式でフォーマット化された情報コンテンツを規定のフォーマット群を情報発信元に提供するシステムを意味する。
【００３３】  図２に示す通り、本発明のコンテンツ提供システム２００は、情情報発信サイト管理装置２０１と、複数のエージェント端末ＴＡ１，ＴＡ２，ＴＡ３・・・と、エージェント端末ＴＡ１，ＴＡ２，ＴＡ３・・・を登録・管理するエージェント管理装置２０３と、各エージェント端末ＴＡにより提供されたフォーマット化された情報コンテンツに応じて各エージェント端末ＴＡへの報酬を算出する収益分配装置２０４と、を備えている。
【００３４】  情報発信サイト管理装置２０１は、情報発信サイト１００側の要求する統一フォーマット化コンテンツを管理し、要求に応じた統一フォーマット化コンテンツを情報発信サイト側に提供する装置（コンピュータシステム）である。
【００３５】  各エージェント端末ＴＡ１，ＴＡ２，ＴＡ３・・・は、情報発信サイト管理装置２０１と直接接続されているかあるいは代理店サーバ３００を介して情報発信サイト管理装置２０１と接続されており、各情報コンテンツ提供元４００の情報コンテンツをフォーマット化する端末である。
【００３６】  なお、エージェント端末とは、本発明のコンテンツ提供システムにおいて、登録・認定された個人または団体の端末を言い、当該エージェント端末は、情報発信元からの情報コンテンツを確認し情報発信サイト１００側の要求に応じたフォーマットで情報コンテンツを収集し、上流側（コンテンツ提供システム２００または代理店端末３００）へ配信する端末をいい、コンテンツ発信サイト側によりインフルエンサー端末ということがある。
【００３７】  エージェント端末ＴＡ１，ＴＡ２，ＴＡ３・・・を登録・管理するエージェント管理装置２０３は、ＩＤ番号、連絡先等のエージェント情報やエージェント端末ＴＡ１，ＴＡ２，ＴＡ３・・・の実績等を保存するデータベースを含むコンピュータシステムより構成される。
【００３８】  収益分配装置２０４は、一般に情報発信サイト１００および／または情報発信元４００からの収益に基づいて予め設定された配分で分配する分配手段である。なお、配分時期は、情報発信サイト１００および／または情報発信元４００からの入金ベースであっても、あるいは締め日および払い日を決めてこれらの締め日および払い日で配分してもよい。
【００３９】  なお、本発明において、各エージェント端末への報酬を算出する装置を収益分配装置４００と命名したのは、各エージェント端末への分配を行う場合に加えて、システムによって得られた収益を１又は複数の代理店や情報コンテンツ提供システム、発信サイト等に分配する実施形態を含むものであり、これらの配分も含めて収益分配装置４００と命名した。
【００４０】  図１および図２に示す実施形態では、本発明のコンテンツ提供システムＳ１は、１つの代理店サーバ（地域代理店サーバ３００）を備えているが、本発明のコンテンツ提供システムＳ１は、代理店サーバ３００を備えてなくともよくあるいは、例えば所定のカテゴリーおよび／または地域毎に複数の代理店サーバ３００を有しており、代理店サーバ３００は、当該カテゴリーに応じた情報コンテンツを統一フォーマットされた形式で収集する複数の情報コンテンツを収集するエージェント端末からのフォーマット化された情報コンテンツを集約して本発明のコンテンツ提供システムＳ１に提供することができる。
【００４１】  また、代理店サーバ３００は、下位の代理店サーバ（特約店サーバを含む）を統括する総代理店サーバと、この代理店サーバの傘下にある複数の代理店サーバ・特約店サーバからなるピラミッド形式で構成されていてもよい。このようにピラミッド形式で代理店サーバ群を構成することによって情報提元４００から情報コンテンツをきめ細かな方式で取得可能となる。
【００４２】  そして、情報提供元４００とは、情報発信サイト１００が要求する情報の保持者である。本発明においては、例えば、後述するダイジェスト検索システムの場合（図３から図７参照）、広告を情報発信サイト１００に掲載する広告主やダイジェスト検索情報に見合ったコンテンツを要求する検索対象である店舗やオフィス等がこれに当たる。
【００４３】  本発明のコンテンツ提供システムＳ１において、エージェント端末ＴＡ１，ＴＡ２，ＴＡ３・・・は、情報発信サイト１００が要求するフォーマットで、情報発信サイト１００が要求する情報コンテンツを情報提供元４００から入手して（フォーマット化コンテンツ取得）、取得したコンテンツを、代理店サーバ（地域代理店サーバ）３００を経由して（図２中点線部分）にあるいはコンテンツ提供システムＳ１に直接、エージェント管理装置２０３を経由してフォーマット化コンテンツ保存管理装置２０２へ送信する（図２中直線部分）。
【００４４】  この際にエージェント端末ＴＡ１，ＴＡ２，ＴＡ３・・・は、情報提供元４００からの情報コンテンツが妥当であるか否か、情報発信サイト１００の要求するフォーマットであるか否かをチェックして既定のフォーマット化された情報コンテンツを作成する。そのため、単に自己申請で情報提供元からインターネット上にアップロードされた情報と比較して、第三者チェックの入った情報として信頼できる情報コンテンツとして有効に活用できる。すなわち、インターネット上にアップロードされた情報の信頼性が格段に向上するという利点がある。
【００４５】  また、これらの情報コンテンツの信頼性は、例えば本発明のコンテンツ提供システム２００を用いて取引された際にトラブルが生じた場合にはエージェント端末管理装置２０３に入力された履歴よりエージェント端末の特定、入手日の特定が可能であり、トレースすることが可能となる。
【００４６】  このようにして構成された本発明のコンテンツ提供システムＳ１は、エージェント端末ＴＡ１，ＴＡ２，ＴＡ３・・・を介して統一したフォーマットで情報コンテンツを収集するので、情報コンテンツ発信サイト１００は、要求するフォーマットで情報コンテンツを取得できる。また、エージェント端末ＴＡ１，ＴＡ２，ＴＡ３・・・により情報発信元４００を発掘可能であるので、今までインターネット上に開示されなかった情報を入手可能となる。また、提供されるフォーマット化された情報コンテンツは、エージェント端末ＴＡ１，ＴＡ２，ＴＡ３・・・により確認されたものであるので、単に情報発信元からインターネット上にアップロードされた情報コンテンツよりも信頼性の高いものとなる。そのため、情報検索等の一般的利用に加えて、ＢｔｏＢ、ＢｔｏＣ，お見合い等のマッチングサイトや商品のインターネット販売やオークション等に信頼できるサイトとして統一フォーマット化された情報コンテンツを基に構築可能である。
【００４７】  また、本発明のコンテンツ提供システムＳ１において、収益分配装置２０４が一般に情報発信サイト１００および／または情報発信元４００からの収益に基づいて予め設定された配分で分配するので、加えてフォーマット化された情報コンテンツを提供したエージェント端末ＴＡ１，ＴＡ２，ＴＡ３・・・に対して提供に応じた報酬を支払うこととなる。そのため、エージェント端末側ＴＡ１，ＴＡ２，ＴＡ３・・・にも利益をもたらすこととなる。
【００４８】  また、本発明の好ましい実施形態において、本発明のコンテンツ提供システムＳ１は、所定のカテゴリーおよび／または地域毎に複数の代理店サーバを備えている。代理店サーバ３００は、例えば図１に示す通り、カテゴリーや地域毎（本例では地域毎）に並列して設けることもでき、あるいは後述する例に示す通り、総代理店を筆頭にして複数の代理店サーバや特約店サーバを直列配置することも可能である。
【００４９】  このように代理店サーバ３００を設けることにより多数のエージェント端末を利用することが可能となり、より多数の情報コンテンツを取得可能となる。また、特定のカテゴリーおよび／または地域に代理店サーバを設置することにより目的に応じたより正確な情報コンテンツの収集が可能となる。
【００５０】（第２実施形態：情報コンテンツ配信システム）
次に、本発明の第２実施形態である情報コンテンツ配信システムについて、図３に基づいて説明する。なお、図３に示す実施形態は、図１および図２に示す実施形態において、情報発信サイト１００とコンテンツ提供システムＳ１とが一体化している点およびそのため、エージェント管理装置２０３および収益分配装置２０４が情報発信サイト１００側にあってもよい点を除いて第１実施形態と同様であるので、同一符号を付してその詳細な説明は省略する。
【００５１】  すなわち、第１実施形態に係るコンテンツ提供システム２００は、情報発信サイト１００と情報発信元４００との間に介在するシステムであり、既存の情報発信サイト１００の要求に応じてフォーマット化された情報コンテンツを収集するシステムであるのに対して、第２実施形態に係る情報発信システムＳ２は、情報発信サイト１００の要求に応じてフォーマット化された情報コンテンツを収集する機能を備えた新規情報発信システムである点で相違する。
【００５２】（具体例１：ダイジェスト検索システム）
次に、図４から図６に基づいて、具体的実施形態であるダイジェスト検索システムシステム（情報発信サイト１００）に本発明のコンテンツ提供システム２００を適用した実施形態を説明する。
【００５３】  ダイジェスト検索システム１００は、キーワードにより検索した際に取得したいと想定される予め設定した複数の要約情報から成るダイジェスト情報を生成するダイジェスト情報生成部を備えている。
【００５４】  ダイジェスト情報とは、一般的には表層的乍ら最も重要な複数の基礎的要約情報をいう。より具体的には、例えばユーザがユーザ端末Ｔ１、Ｔ２、Ｔ３を介してキーワード検索、例えば所定地域の宿泊場所をキーワードとして、検索を実施する場合、目的名称の他に住所、電話番号、営業時間、料金を含むメニュー等である。従来の検索サイトの結果、目的名称の一覧以外、これらの情報を視覚的にワンストップで閲覧することはできなかった。
【００５５】  本発明においては、これらの複数のユーザ端末Ｔ１、Ｔ２、Ｔ３で視覚的に確認できる情報をダイジェスト情報としてユーザ端末Ｔ１、Ｔ２、Ｔ３で一括確認できるような情報群すなわち、「ユーザが取得したいと想定される予め設定した複数の要約情報から成る情報」が本発明でいう「ダイジェスト情報」である。
【００５６】  このダイジェスト情報は、文字情報だけでなく、画像情報、イメージ情報およびこれらの組み合わせから構成することができる。
【００５７】  本発明において、検索結果をダイジェスト情報として表示するために、ダイジェスト情報生成部２２を、ダイジェスト検索システム１００に設けるが、ダイジェスト情報生成部２２は、予め設定された複数の要約情報項目を対象別に格納したダイジェスト情報テーブル３５を設け、このダイジェスト情報テーブルを参照してダイジェスト情報テーブルを取得できる。
【００５８】  このようなダイジェスト情報の各要素は、当該ダイジェスト情報の元となる詳細情報とリ関連付けされている。例えば、検索結果の「目的の名称」部分に詳細情報をリンクさせることにより、ダイジェスト情報表示により全体をオバービューした後、興味ある情報の詳細情報を閲覧することが可能となる。このことは、本発明の第４の特徴である。すなわち、検索サイト１等での検索では、リンクされたサイトに移行しないと必要な情報が得られないのに対して、本発明ではダイジェスト情報として検索結果の概要を知ることが可能となる。
【００５９】  このように、ダイジェスト検索システム１００は、必要な情報をインデックスとして視覚的に確認でき、これらのインデックス情報（ダイジェスト情報）から必要な詳細情報へと容易にたどり着くことが可能となる。また、例えば現地へのアクセス経路などの追加情報が必要な場合は、本システムが保有するコンテンツおよび／または地図情報を提供する他のサイトが提供する機能と連携してユーザ端末にてポップアップ表示等により容易に情報の入手が可能となる。
【００６０】  このような構成を有するダイジェスト検索システム１００は、ＷＥＢページ生成部１０と、情報検索部２０と検索情報並べ替え・補正部２１とから主として構成され、所望によりビジネスコンテンツ３１、投稿コンテンツ３２、地域マトリックス３３、中心地設定テーブル３３等を備えたインデックステーブル３０、およびインターネット技術分野に周知のコンテンツサーバ４０、アグリゲーションサーバ５０、広告管理サーバ６０を備えていてもよい。
【００６１】  本発明においては、このような情報コンテンツをコンテンツ提供システム２００側から提供された情報コンテンツに基づき使用している点が特徴である。
【００６２】  ＷＥＢ生成部１０は、報検索を含むポータルＷＥＢページ、検索画面、検索結果、検索結果に関連する情報を提供するＷＥＢページを生成し、生成したＷＥＢページをユーザ端末に送信するものであり、例えば、図２に示す初期画面（ＷＥＢページ）をユーザ端末Ｔ１、Ｔ２，Ｔ３に送信してユーザ端末Ｔ１、Ｔ２，Ｔ３の画面に表示させる。
【００６３】  情報検索部２０は、ユーザ端末から送信された検索項目に対して入力された所定のキーワード検索を実行するプログラムであって（検索エンジン）、ユーザ端末に入力された「キーワード」に紐づく、コンテンツ提供システム２００側から提供された情報コンテンツを優先して所望によりネット上のその他の情報を検索結果として表示する機能を有している。
【００６４】  本発明の最も好ましい実施形態において、ダイジェスト検索システム１００の検索結果は、図５に示す通り、検索の際に使用した検索キーワードの表示スペース、検索結果表示スペース、紐づけ情報表示スペース、地図情報表示スペースを有するＷＥＢページとして生成されることが好ましく、より好ましくは特定分野の検索を行う目的検索スペース。検索結果の翻訳を行う翻訳スペース、前記地域情報検索システムとネットワーク回線で接続された広告管理サーバより送信された広告情報を表示する広告スペースの少なくとも１つを表示する表示スペースを有するＷＥＢページを生成することが好ましい。
【００６５】  このような特定の検索システムを構築するために本発明のコンテンツ提供システムＳ１を組み込む。すなわち、図５に示すような検索結果を表示するための情報コンテンツを入手する場合、フォーマット化された情報コンテンツに基づいて検索・結果表示を行う必要がある。本発明においては、このようなフォーマット化された情報コンテンツを広告コンテンツとともにエージェント端末ＴＡ１，ＴＡ２，ＴＡ３・・・を介して検索用情報コンテンツおよび広告コンテンツをコンテンツサーバ４０および広告管理サーバ６０に格納する。
【００６６】  エージェント端末側で収集しコンテンツ提供システムＳ１からダイジェスト情報コンテンツと広告コンテンツとが混在するフォーマット化された情報コンテンツが提供された場合には、図６に示す通り仕訳され各々コンテンツサーバ４０および広告管理サーバ６０に格納する。
【００６７】（具体例２：代理店構成と分配例）
次に、図７および図８に基づいて本発明の情報発信システム（コンテンツ提供システム）で代理店を複数設置した場合の分配例を示す。
【００６８】  図７および図８に示す実施形態は、広告主からのフォーマット化された広告コンテンツを総代理店サーバおよびその下層に並列に設けられた代理店・特約店Ａ・特約店Ｂに配置されたエージェント端末より収集して総代理店経由でコンテンツ提供システムから情報発信サイト１００へ提供する実施形態である。
【００６９】  なお、図７および図８に示す実施形態は、図５に示すダイジェスト検索システムにおける広告コンテンツを地区毎にその規模に応じて傘下に置くエージェント端末数の異なる代理店・特約店を設け、そしてこれらの代理店・特約店を総代理店が総括する例を示すものである。
【００７０】  この例においては、傘下における最大エージェント端末数に応じて契約形態の異なる代理店、特約店Ａ、特約店Ｂを総代理店が統括する構成を例示し、エージェント端末への報酬を一定とした際に、総代理店、代理店、特約店Ａ、特約店Ｂが各々妥当な数値で利益配分可能か否かをシミュレーションしたものである。
【００７１】  図５に示すダイジェスト検索は、特定の地域毎の地域情報を検索する際に非常に有効な手段であるので、地域毎に人口、店舗数、事業所数等の異なる地域で本発明の情報コンテンツ提供システム２００（情報発信システム）にこのような形態の異なる代理店を設置できることがより重要である。
【００７２】  本例において、広告主からの広告収入の５０％を取得したエージェント端末に分配され、コンテンツ配信システム側で全体収入の各々８％（代理店経由の場合）、１２％（特約店Ａ経由の場合）、１４％（特約店Ｂ経由の場合）の手数料を徴収した場合を例示している。このように、適宜分配率を予め定めることにより、エージェント端末、各代理店・特約店も十分に納得できる配分で収益を得ることが可能となる。
【００７３】  このような広告コンテンツは、具体例１で示したダイジェスト検索システムに有効に適用可能であることが判る。特に、このようにエリアごとに代理店・特約店を区画化することにより、例えば所定の代理店エリア内の地域情報に特化した地域情報検索サービス等の新たな情報発信サービスを本発明の情報コンテンツ提供システムや情報発信システムに基づいて構築可能である。
【００７４】  また、このような広告コンテンツは、本発明者等が先に創作し出願した広告入りコンテンツ配信サービスの広告コンテンツとして有効に適用可能である。すなわち、広告入りコンテンツ配信サービスはコンテンツを配信サービス提供元、ユーザ端末側および広告主の全てに利益のある新規の広告付きコンテンツ配信サービスを提供する目的でユーザ端末にインターネットを介して画像または映像コンテンツの提供元の端末からの画像または映像コンテンツを広告とともに配信するコンテンツ配信システムであり、コンテンツの提供元の端末および広告主の端末とインターネットを介して接続され、そしてポータルサイトサーバと、ユーザ管理サーバと、配信元管理サーバと、コンテンツサーバと、広告サーバと、広告入りコンテンツ生成手段と、広告閲覧実績を解析する広告閲覧実績解析手段と、を備え、広告閲覧実績解析手段は、解析結果に基づいて、広告主からの広告料を閲覧したユーザ端末側とコンテンツの提供元の端末側への配分を計算し、各端末側へ配分するものである。このような、所定のフォーマットを必要とされる広告コンテンツを本発明のシステムでは容易に取得可能となる。
【００７５】  図７および図８の例では、地域毎に代理店や特約店を設定したが、この場合、例えばカテゴリー毎に代理店や特約店を設定することが可能である。すなわち、画像コンテンツや映像コンテンツに広告を付与する場合、画像や映像コンテンツに関連するカテゴリー毎に代理店等を設定することが好ましい。
【００７６】  以上、本発明の実施の形態を説明したが本発明は上記の実施形態に限定されるものではなく、幅広く適用可能である。例えば、本発明の情報コンテンツ提供システム２００（情報発信システム）をお見合いシステムやＢｔｏＢシステム等のマッチングサイトに適用することや通販システムやオークションシステムに採用することも本発明の範囲内である。
【００７７】  このような場合、エージェント端末より情報コンテンツを提供するので、前述の通り信頼性が高くトレーサビリティに優れたシステムが構築可能となる。
【符号の説明】
【００７８】Ｔ１，Ｔ２，Ｔ３  ユーザ端末
ＴＡ１，ＴＡ２，ＴＡ３  エージェント端末
１００  情報発信サイト１００
２００  コンテンツ提供システム
２０１  情報発信サイト管理装置
２０２  フォーマット化コンテンツ保存管理装置
２０３  エージェント管理装置
２０４  収益分配装置
【図１】
2018063682.tif 000003
【図２】
2018063682.tif 000004
【図３】
2018063682.tif 000005
【図４】
2018063682.tif 000006
【図５】
2018063682.tif 000007
【図６】
2018063682.tif 000008
【図７】
2018063682.tif 000009
【図８】
2018063682.tif 000010